(57)【要約】【課題】  ブローによるストレーナの清掃時においても、フィルターをストレーナ内に保持させて流体中の不純物を除去できるようにすると共に、バイパス回路の付設を不要とするストレーナを提供せんとするものである。【解決手段】  ストレーナ本体内に、流体が流過する主流路と該主流路から分岐してフィルターが配置される分岐流路を設け、主流路は流体機器が配設された流体の回路に組み込まれて該流体の回路の一部を構成しており、分岐流路は回路の系外に開放されるストレーナにおいて、該分岐流路内壁に貫通孔を有する保持プラグを螺着してフィルターを保持し、該フィルターの一部が主流路を流過する流体中から不純物を濾別するように配置し、前記分岐流路の開放端には、密栓プラグが密封自在に開放端の内壁に螺着され、該密栓プラグの取り外し時に、フィルターが保持プラグによって分岐流路から脱落しないように保持されていることを特徴とする。【選択図】  図１
2006320904.tif 000002
【特許請求の範囲】
【請求項１】
ストレーナ本体内に、流体が流過する主流路と該主流路から分岐してフィルターが配置される分岐流路を設け、主流路は流体機器が配設された流体の回路に組み込まれて該流体の回路の一部を構成しており、分岐流路は回路の系外に開放されるストレーナにおいて、該分岐流路内壁に貫通孔を有する保持プラグを螺着してフィルターを保持し、該フィルターの一部が主流路を流過する流体中から不純物を濾別するように配置し、前記分岐流路の開放端には、前記保持プラグとは別に密栓プラグが密封自在に開放端の内壁に螺着され、該密栓プラグの取り外し時に、フィルターが保持プラグによって分岐流路から脱落しないように保持されていることを特徴とするブロー機能を有するストレーナ。
【発明の詳細な説明】
【技術分野】
【０００１】
この発明は、スチーム等の流体中に混入している不純物を除去するために流体が流過する流路に配置されるストレーナに関し、特にストレーナに捕集された不純物を系外に排出することが可能なブロー機能を有するストレーナに関する。
【背景技術】
【０００２】
従来、管路を流過するスチーム等の流体中に含まれる不純物を除去し、管路に配置された流体機器の故障の原因を排除するストレーナは公知である。かかるストレーナは、管路を配設された流体機器の一次側に配置され、故障等の原因となる不純物が流体機器に流入するのを防止している。従来は、ストレーナに捕集された不純物をストレーナの外に取り出すためには、フィルターをストレーナから取り外すか、若しくはストレーナを迂回するバイパス回路を設けて、ストレーナの清掃時に流体をストレーナからバイパスして流過させつつ清掃を行うようにしている。前者の場合、フィルターが取り外されているため清掃中に流体機器を作動すると流体中の不純物が除去されないまま流体機器に流れる問題があった。又、後者の場合にも、同様に流体中の不純物の除去が出来ないと共に、バイパス回路の付設を必要とし、回路構成を複雑にすると共に、コストがかかる問題がある。
【０００３】
【特許文献１】実開昭５２−１７１７５０号公報
【特許文献２】特開平０８−１１７５１７号公報
【発明の開示】
【発明が解決しようとする課題】
【０００４】
この発明は、ブローによるストレーナの清掃時においても、フィルターをストレーナ内に保持させて流体中の不純物を除去できるようにすると共に、バイパス回路の付設を不要とするストレーナを提供せんとするものである。
【課題を解決するための手段】
【０００５】
上記課題を解決するためにこの発明が採った手段は、ストレーナ本体内に、流体が流過する主流路と該主流路から分岐してフィルターが配置される分岐流路を設け、主流路は流体機器が配設された流体の回路に組み込まれて該流体の回路の一部を構成しており、分岐流路は回路の系外に開放されるストレーナにおいて、該分岐流路内壁に貫通孔を有する保持プラグを螺着してフィルターを保持し、該フィルターの一部が主流路を流過する流体中から不純物を濾別するように配置し、前記分岐流路の開放端には、前記保持プラグとは別に密栓プラグが密封自在に開放端の内壁に螺着され、該密栓プラグの取り外し時に、フィルターが保持プラグによって分岐流路から脱落しないように保持されていることを特徴とする。
【発明の効果】
【０００６】
この発明によれば、フィルターを保持プラグで保持し、ブロー時にフィルターが外部に流出しないように保持してあるので、ストレーナをブローして捕集された不純物を除去することが出来ると共に、フィルターが保持プラグで保持されているため、ブロー時に流体に混入している不純物はフィルターで捕集され、流体機器に不純物が流入するおそれはない。又、別途のバイパス回路を設ける必要がないため、回路構成が簡単でコストの低下を図ることが出来る。更に、密栓プラグを直接開放端の内壁に螺着しているので、保持プラグに影響を与えることなく取り外すことが可能で、初期ブローを行い易い。
【発明を実施するための最良の形態】
【０００７】
この発明の好ましい実施の形態を、以下に詳細に説明する。この発明は、ストレーナ室内に配置され流体中に含まれる不純物を濾別し得るフィルターを、密栓プラグとは別体のフィルター保持プラグで保持し、該フィルター保持プラグに貫通孔を形成して、ブロー時にフィルターを保持プラグで保持しつつ貫通孔を介してブロー流体を系外に排出可能としたことを特徴とする。ストレーナは、流体が流過する主流路と該主流路から分岐してフィルターが配置されるストレーナ室を構成する分岐流路とを備えるストレーナ本体を含み、主流路は流体機器が配設された流体の回路に、流体機器の一次側に位置して組み込まれて該流体の回路の一部を構成しており、分岐流路は回路の系外に開放されると共に、開放端に装着される密栓プラグで密封される。フィルターは所望の大きさの網目を有する網体からなり、主流路内に一部が位置して主流路を流過する流体中から不純物を濾別することが可能であり、好ましくは円筒状に形成される。この発明は、かかるフィルターを前記密栓プラグの内方に位置する保持プラグで保持すると共に、保持プラグに穿孔された貫通孔を介してブロー流体を外部に排出することが出来るようになっている。保持プラグは、分岐流路内に着脱自在に配設されており、フィルターの交換時などには分岐流路から取り外すことが出来る。
【０００８】
流体を分岐流路を介して系外にブローさせ、フィルター内の清掃をする場合、先ず分岐流路の開放端を密封している密栓プラグを取り外す。密栓プラグの除去により、分岐流路は系外、例えば大気中に開放されるが、フィルターは保持プラグで保持されているために分岐流路から脱落するおそれはない。フィルター清掃のためにブロー流体が流されると、該ブロー流体はフィルター内に捕集されている不純物を押し流しつつ、保持プラグの貫通孔を介して系外に流出し、フィルター内は清掃される。このように、ブロー時においてもフィルターは本体内の残存した状態で保持されているため、流体機器に流体を流しても流体中の不純物はフィルターで捕集することが出来、不純物による故障等の問題発生を防止することが出来る。
【実施例】
【０００９】
図１，２はこの発明をＹ型ストレーナに適用した例を示し、図において(１)はストレーナ本体であって、本体を一次側から二次側に貫通する主流路(２)と、該主流路(２)から分岐した分岐流路(３)とを有する。主流路(２)の一次側および二次側の開放端には流体回路の管路を接続することが出来る。(４)はフィルターであって、主流路(２)内に一部が位置して該主流路を流過する流体中から不純物を濾別することが出来る。フィルター(４)は、分岐流路(３)内に位置する保持プラグ(５)で保持され、ブロー時においてフィルターが分岐流路から脱落し、流出しないようにされている。保持プラグ(５)の中心には貫通孔(６)が穿孔され、分岐流路(３)内に流入するブロー流体を分岐流路(３)の外に排出することが出来る。保持プラグ(５)は、ネジにより分岐流路内に装脱自在に取り付けられており、フィルター(４)の交換時等には、分岐流路から取り外すことが出来るようになっている。(７)は密栓プラグであって、分岐流路の開放端を着脱自在に取り付けられて開放端を密封する。密栓プラグ(７)を取り外して分岐流路を系外に開放することにより、フィルターのブローを行うことができる。
【図面の簡単な説明】
【００１０】
【図１】この発明を適用したＹ型ストレーナの断面図
【図２】同要部の分解斜視図
【符号の説明】
【００１１】
(１)本体
(２)主流路
(３)分岐流路
(４)フィルター
(５)保持プラグ
(６)貫通孔
(７)密栓プラグ
【図１】
2006320904.tif 000003
【図２】
2006320904.tif 000004